(57)【要約】【課題】電子機器との一体的な利用を必要とする記録媒体へのコンテンツの記録方法及び電子機器を提供する。【解決手段】実施形態の電子機器は、暗号化手段と、記録制御手段と、具備する。暗号化手段は、コンテンツを、メディアバインド方式の第１の保護方式に従った方法で、コンテンツ鍵を用いてコンテンツを暗号化し、暗号可されたコンテンツデータを生成する。記録制御手段は、前記コンテンツデータと、前記コンテンツ鍵を前記第一の保護方式に従って暗号化した第１の暗号鍵と、当該第１の暗号鍵に対応する第１のＵｓａｇｅ  Ｒｕｌｅと、前記コンテンツ鍵を機器バインド方式の第二の保護方式に従って暗号化した第２の暗号鍵と、当該第２の暗号鍵に対応する第２のＵｓａｇｅ  Ｒｕｌｅと、を関連付づけて、記録装置に記録する。【選択図】図１
2014135563.tif 000002
【特許請求の範囲】
【請求項１】
コンテンツを、メディアバインド方式の第１の保護方式に従ってコンテンツ鍵を用いてコンテンツを暗号化し、暗号可されたコンテンツデータを生成する暗号化手段と、
前記コンテンツデータと、前記コンテンツ鍵を前記第一の保護方式に従って暗号化した第１の暗号鍵と、当該第１の暗号鍵に対応する第１のＵｓａｇｅ  Ｒｕｌｅと、前記コンテンツ鍵を機器バインド方式の第二の保護方式に従って暗号化した第２の暗号鍵と、当該第２の暗号鍵に対応する第２のＵｓａｇｅ  Ｒｕｌｅと、を関連付けて記録装置に記録する記録制御手段と、
を具備する電子機器。
【請求項２】
前記コンテンツデータには、前記第一の保護方式及び前記第二の保護方式のそれぞれにおいて参照可能な情報データが付属する
請求項１記載の電子機器。
【請求項３】
前記コンテンツの再生時は、前記第一の保護方式を適用し、前記第１の暗号鍵及び前記第１のＵｓａｇｅ  Ｒｕｌｅを用いて前記コンテンツデータを復号する
請求項１または２に記載の電子機器。
【請求項４】
前記コンテンツのダビング時は、前記第２のＵｓａｇｅ  Ｒｕｌｅにコピーまたはムーブの権利が存在する場合には、前記第２のＵｓａｇｅ  Ｒｕｌｅを適用し、前記第二の保護方式のＵｓａｇｅ  Ｒｕｌｅにコピーまたはムーブの権利が存在しない場合には、前記第一の保護方式のＵｓａｇｅ  Ｒｕｌｅを適用し、前記コンテンツデータのダビングを行う
請求項１または２に記載の電子機器。
【請求項５】
前記暗号化手段は、前記コンテンツを前記コンテンツ鍵で暗号化した第１のコンテンツデータと第２のコンテンツデータを生成し、
前記記録制御手段は、前記第１のコンテンツデータに前記第１の暗号鍵及び第１のＵｓａｇｅＲｕｌｅを関連付け、前記第２のコンテンツデータに前記第２の暗号鍵及び第２のＵｓａｇｅＲｕｌｅを関連付けて記録装置に記録する
請求項１に記載の電子機器。
【請求項６】
前記暗号化手段は、前記コンテンツを前記コンテンツ鍵で暗号化したコンテンツデータを生成し、
前記記録制御手段は、前記コンテンツデータに対して、前記第１の暗号鍵及び第１のＵｓａｇｅＲｕｌｅと、前記第２の暗号鍵及び第２のＵｓａｇｅＲｕｌｅとを関連付けて記録装置に記録する
請求項１に記載の電子機器。
【発明の詳細な説明】
【技術分野】
【０００１】
この発明は、記録方法及び電子機器に関する。
【背景技術】
【０００２】
レコーダ装置やテレビジョン受信装置等の電子機器においては、著作権付きコンテンツ（放送として提供される番組を含む）は、コンテンツプロバイダ（配信元）や放送局等が運用規定に従う必要がある。
【先行技術文献】
【特許文献】
【０００３】
【特許文献１】特開２００６−４１５８２号公報
【発明の概要】
【発明が解決しようとする課題】
【０００４】
コンテンツの保護方式には、録画した機器のみで利用（再生、ダビング）が可能である機器バインド方式や、記録媒体（メディア）に安全に保存するしくみを用いたメディアバインド方式、等がある。
【０００５】
放送コンテンツについては、「ダビング１０」もしくは「コピーワンス」と呼ばれる複製可能条件が用意されている。
【０００６】
「ダビング１０」コンテンツを機器バインド方式で録画を行う場合、録画したコンテンツは録画機器でしか再生することができないが、ブルーレイディスクやＤＶＤに９回コピーした後、ムーブすることが許容されている。
【０００７】
一方、「ダビング１０」コンテンツをメディアバインド方式で録画する際には、メディアバインド方式に対応した機器であれば再生は可能であるが、ＡＲＩＢの制約によりダビング１０として録画することはできず、コピーワンスコンテンツ（コピーは不可、ムーブのみ可）として録画しなければならない。
【０００８】
この発明の目的は、機器バインド方式とメディアバインド方式の双方のメリットを活かす録画方式及び電子機器を提供することである。
【課題を解決するための手段】
【０００９】
実施形態によれば、電子機器は、暗号化手段と、記録制御手段と、を具備する。暗号化手段は、コンテンツを、メディアバインド方式の第１の保護方式に従った方法で、コンテンツ鍵を用いてコンテンツを暗号化し、暗号可されたコンテンツデータを生成する。記録制御手段は、前記コンテンツデータと、前記コンテンツ鍵を前記第一の保護方式に従って暗号化した第１の暗号鍵と、当該第１の暗号鍵に対応する第１のＵｓａｇｅ  Ｒｕｌｅと、前記コンテンツ鍵を機器バインド方式の第二の保護方式に従って暗号化した第２の暗号鍵と、当該第２の暗号鍵に対応する第２のＵｓａｇｅ  Ｒｕｌｅと、を関連付づけて、記録装置に記録する。
【図面の簡単な説明】
【００１０】
【図１】実施形態を適用する電子機器の一例を示す。
【図２】実施形態を適用するコンテンツ記録方法の記録構造の一例を示す。
【図３】実施形態を適用するコンテンツ記録方法の記録構造の一例を示す。
【図４】実施形態を適用するコンテンツ記録方法の記録構造の一例を示す。
【図５Ａ】実施形態を適用するコンテンツ記録方法の記録構造の一例を示す。
【図５Ｂ】実施形態を適用するコンテンツ記録方法の記録構造の一例を示す。
【図６】実施形態を適用するコンテンツ記録方法の一例を示す。
【図７】実施形態を適用するコンテンツ記録方法の運用の一例を示す。
【図８】実施形態を適用するコンテンツ記録方法の運用の一例を示す。
【図９】実施形態を適用するコンテンツ記録方法の運用の一例を示す。
【図１０】実施形態を適用するコンテンツ記録方法の運用の別の一例を示す。
【発明を実施するための形態】
【００１１】
以下、図面を参照して、本発明の実施の一形態について説明する。
【００１２】
図１は、コンテンツを処理する電子機器、例えばテレビジョン放送受信装置の一例を示す。なお、実施形態においては、電子機器としてテレビジョン放送受信装置（以下テレビ装置と称する）を例に説明するが、コンテンツの記録（保存）あるいは再生が可能な記録装置／記録部を含むレコーダ装置や、テレビ装置と接続する記録装置であってもよい。また、記録装置／記録部の大きさ、携帯（移動）の可否、駆動方式等は任意である。なお、以下に説明する要素／構成は、ハードウエアで実現するものであってもよいし、マイクロコンピュータ（処理装置、ＣＰＵ（Central Processing Unit））により、ソフトウエアで実現するものであってもよい。また、コンテンツの取得あるいは出力の方法としては、空間波（電波）の利用、ケーブル（光ファイバを含む）やインターネット・プロトコル（ＩＰ）通信網等のネットワークの利用、もしくは半導体メモリ等の記録媒体の利用、等、任意である。
【００１３】
なお、コンテンツは、ストリームや番組、もしくは情報と称する場合があり、映像及び音声あるいは音楽等を含む。また、映像は、動画と静止画、あるいはテキスト（コード化された符号列で示される文字や記号等で表される情報）、ならびにその任意の組み合わせを含む。
【００１４】
図１において、テレビジョン放送受信装置（以下、テレビ装置と称する）１は、受信部１１１、復調部１１２、信号処理部１１３、音声処理部１２１、映像処理部１３１、表示処理部１３２、制御部（ＭＰＵ，Main Processing Unit）１５０、ストレージ（記録部／記録媒体）１６１、操作入力部１７１及び受光部１７２、等を、少なくとも備える。また、テレビ装置１は、スピーカ１２２及びディスプレイ１３４を備える。なお、ＭＰＵ１５０には、ＬＡＮインタフェース１８１、ＵＳＢコントローラ１８２及びＨＤＭＩ処理部１８３、等が接続する。
【００１５】
受信部１１１は、例えば放送事業者（放送局）が放送（空間波）により提供するコンテンツ（放送信号）を受けつけ、チャンネル選局（番組選択）を行う。なお、受信部１１１は、配信事業者（コンテンツプロバイダ）が有線もしくは無線方式により提供するコンテンツ（ストリーム／番組）を受信することも可能である。受信部１１１は、選局あるいは番組選択した放送信号を復調部１１２に入力する。
【００１６】
復調部１１２は、受信部１１１からの放送信号を復調する。復調部１１２は、復調したコンテンツを信号処理部１１３に入力する。
【００１７】
信号処理部１１３は、例えばＤＳＰ（Digital Signal Processor）を含み、復調部１１２が復調したコンテンツ（デジタル信号）を、映像信号及び音声信号、ならびに映像信号及び音声信号以外のデータ信号（テキスト情報（Electric Program Guide、電子番組表）、使用許諾情報（ＣＡＳ情報）あるいはＤＲＭ（コンテンツ保護方式）情報等）に分離する。信号処理部１１３は、分離した音声信号を音声処理部１２１に、映像信号を映像処理部１３１に、それぞれ供給する。信号処理部１１３はまた、データ信号を制御部１５０に、供給する。
【００１８】
音声処理部１２１は、信号処理部１１３からの音声信号を、スピーカ１２２により再生可能なフォーマットのオーディオ信号に変換し、スピーカ１２２に供給する。スピーカ１２２は、供給されるオーディオ信号から、音声及び／または音響（Audio）を再生する。
【００１９】
映像処理部１３１は、信号処理部１１３からの映像信号を、ディスプレイ１３４が再生（表示）可能なフォーマットの表示信号に変換（表示処理）し、表示処理部１３２に出力する。
【００２０】
ＯＳＤ処理部１３３は、信号処理部１１３から供給されるデータ信号、及び／または制御部１５０から供給される制御信号に基づいてＧＵＩ（Graphical User Interface、グラフィカルユーザインタフェース）表示、字幕、時刻、あるいは他の情報等を、映像処理部１３１からの表示信号に重畳して表示するためのＯＳＤ（On Screen Display、オンスクリーンディスプレイ）信号を生成する。
【００２１】
表示処理部１３２は、ディスプレイ１３４が、映像処理部１３１からの映像信号を表示映像（画面表示）として表示する際のフレーム毎の画像について、例えば色味、明るさ、シャープあるいはコントラスト等がディスプレイ１３４の再現（表示）可能な条件の範囲内の所定の条件内に収まるよう、画質調整処理を行う。なお、画質調整処理のための制御情報（数値入力による制御量、あるいはＧＵＩによる表示映像を用いた可視的指示入力による制御量）は、後段に説明する操作入力部１７１またはリモートコントローラ（以下、リモコンと称する）１７３による指示入力、もしくはタブレット装置やスマートフォンと呼ばれる携帯可能な端末装置（以下、携帯端末と称する）等が保持するアプリケーション（ソフトウエア）に従う制御指示として入力される。
【００２２】
表示処理部１３２はまた、画質調整処理後の上述の映像処理部１３１からの表示信号とＯＳＤ処理部１３３からのＯＳＤ信号とを重畳し、ディスプレイ１３４に供給する。
【００２３】
ディスプレイ１３４は、例えばマトリクス状に配列された複数の画素を備える液晶表示パネルと、液晶パネルを照明するバックライトとを備える液晶表示装置等であり、表示処理部１３２からの表示信号に対応する映像（Video）を表示する。
【００２４】
なお、テレビ装置１は、ディスプレイ１３４の代わりに映像出力端子を備える構成であってもよい。また、テレビ装置１は、スピーカ１２２の代わりに音声出力端子を備える構成であってもよい。
【００２５】
制御部１５０は、テレビ装置１の各部の動作を制御するＭＰＵ（Main Processing Unit、主制御ユニット）として機能する。制御部１５０は、ＣＰＵ（中央制御ユニット）１５１、ＲＯＭ（読み出し専用メモリ）１５２、ＲＡＭ（書き換え可能（ランダムアクセス）メモリ）１５３、ＥＥＰＲＯＭ（不揮発性メモリ）１５４、及び記録制御部１５５等を含む。制御部１５０は、操作入力部１７１、あるいは受光部１７２を経由するリモコン１７３からの指示入力（ユーザ操作）に基づいて、種々の処理を行う。
【００２６】
ＣＰＵ１５１は、種々の演算処理を実行する演算素子やファームウエア及びメモリ領域等を含む。ＣＰＵ１５１は、ＲＯＭ１５２やＥＥＰＲＯＭ１５４が保持するプログラムを実行することにより、種々の機能を実現する。
【００２７】
ＲＯＭ１５２は、テレビ装置１を制御するプログラム、及び例えばコンテンツ（番組）の複製（コピー）と移動（ムーブ）等のさまざまな機能を実現するプログラム等、を保持する。
【００２８】
ＣＰＵ１５１は、操作入力部１７１もしくはリモコン１７３からの指示入力、あるいは携帯端末等が保持するアプリケーションに従う制御指示に従い、ＲＯＭ１５２が保持するプログラムを起動する。これにより、制御部１５０は、各部の動作を制御する。
【００２９】
ＲＡＭ１５３は、ＣＰＵ１５１のワークメモリ（作業エリア）として機能するもので、ＣＰＵ１５１の演算結果、ＣＰＵ１５１により読み込まれたデータ、操作入力部１７１、もしくはリモコン１７３からの指示入力、あるいは携帯端末等の上述のアプリケーションに従う制御指示、すなわち制御コマンド等を記憶する。
【００３０】
ＥＥＰＲＯＭ１５４は、各種の設定情報、及びプログラムなどを記憶する。
【００３１】
記録制御部１５５は、例えばコンテンツ保護規格の一種であるＮＳＭ（次世代メモリ保護（Next generation Secure Memory initiative））規格をサポートした外付けＨＤＤ（ハードディスクドライブ）またはテレビ装置１と一体化される記録媒体／記録部であるストレージ１６１に暗号化コンテンツ（番組）及びコンテンツ鍵等の情報を記録し管理する。なお、ストレージ１６１は、例えばＳＳＤ（Solid State Drive）等の半導体メモリ装置や、リーダ／ライタを用いてデータの読み出しと書き込みが可能なメモリカード等であってもよいが、本実施形態においてはいずれの記憶装置であってもＮＳＭ規格に準拠したコンテンツ保護機能をサポートしているものとする。
【００３２】
操作入力部１７１は、ユーザ操作（指示入力）に対応する操作信号を、制御部１５０に入力するもので、例えば操作キー（操作パネル）等である。操作入力部１７１は、例えばキーボード、マウス、タッチパッドまたは操作に対応して操作信号を生成する任意の形式の入力装置であってもよい。なお、ディスプレイ１３４がテレビ装置１と一体的であり、タッチパネル機能を有する場合、操作入力部１７１を、ディスプレイ１３４と一体に形成されるタッチパネルとすることも可能である。
【００３３】
リモコン１７３は、ユーザによる操作入力を受光部１７２が識別可能な、ユーザ操作に対応する操作信号を生成する。リモコン１７３は、生成した操作信号を、例えば赤外線を用いる通信により、受光部１７２に送信する。
【００３４】
受光部１７２は、リモコン１７３からの操作信号を受信し、操作信号に対応するＣＰＵ５１への指示として、例えば指示信号をＣＰＵ１５１に供給する。ＣＰＵ１５１は、受光部１７２からの指示信号に従い、リモコン１７３によるユーザ操作に対応する各部の動作を制御し、あるいは機能を実現する。
【００３５】
なお、リモコン１７３から受光部１７２への指示信号は、例えば所定周波数及び出力の電波を用いる無線通信であってもよい。
【００３６】
ＬＡＮインタフェース１８１は、ホームネットワーク（ＤＬＮＡ、Digital Living Network Alliance（登録商標））上の他のテレビ装置やレコーダ装置、あるいは外部チューナ等との間でコンテンツの共有を可能とする。また、ＬＡＮインタフェース１８１は、公衆通信回線を経由してインターネット網に接続可能で、インターネット上の任意のサーバあるいはプロバイダが提供するコンテンツのダウンロード、等を制御する。
【００３７】
ＵＳＢコントローラ１８２は、ＵＳＢ（Universal Serial Bus）規格のインタフェースにより接続するＵＳＢ機器（外部機器）、例えばＵＳＢ−ＨＤＤ（ＮＡＳ、Network Attached Storage）、もしくはメモリカードとの間でデータの受け渡しを可能とする拡張リーダ／ライタ等が接続された場合、接続相手先となるＵＳＢ機器との間でデータの受け渡し、すなわちデータの読み出し及び書き込みを行う。なお、ＵＳＢ−ＨＤＤや拡張リーダ／ライタを介して接続する機器がコンテンツを保持できる場合、記録制御部１５５の制御に従い、接続相手先が保持するコンテンツに所定のＤＲＭ（コンテンツ保護方式）を適用できる。
【００３８】
ＨＤＭＩ処理部１８３は、ＨＤＭＩ（登録商標）すなわちＨＤＭＩ（High Definition Multimedia Interface）規格に基づき、双方向通信を行なうＨＤＭＩインタフェースである。ＨＤＭＩ処理部１８３には、ブルーレイ（登録商標）レコーダ、ＤＶＤレコーダ、ハードディスクレコーダ、もしくはＨＤＭＩ規格に対応した機器（ＨＤＭＩ機器）が接続される。ＨＤＭＩ処理部１８３は、接続されたＨＤＭＩ機器との間で、コンテンツ（ストリーム）の受け渡しが可能である。
【００３９】
なお、図１に示すテレビ装置１においては、ストレージ（以降、ＨＤＤが一体化されているとして説明する）１６１やＵＳＢコントローラ１８２と接続するＵＳＢ−ＨＤＤ等が保持するコンテンツには、コンテンツ保護方式（ＤＲＭ）に従い、複製（コピー）と移動（ムーブ）等の利用許諾（Ｕｓａｇｅ  Ｒｕｌｅ）等の規定が適用される。
【００４０】
すなわち、テレビ装置１が放送コンテンツをＨＤＤ１６１に録画する際には、ＡＲＩＢ（電波産業会）の規定に従い、録画した機器からのみ（ＨＤＤ１６１からの）再生が可能な機器バインド方式で保存する。なお、ダビング１０コンテンツは「機器バインド」で保存する場合にのみ、ＨＤＤ１６１に保持されたコンテンツのダビング１０（９回のコピー（複製）とＨＤＤからメディア（記録媒体、リムーバブルメディアと称する場合がある）へのムーブ（移動））を許容されている。
【００４１】
しかしながら、「機器バインド」で保存されたコンテンツは、テレビ装置１以外のテレビ装置でコンテンツの再生ができないため、テレビ装置を買い替えた場合に、録画したコンテンツは再生することができなくなる。
【００４２】
なお、ＡＲＩＢ（電波産業会）は、放送コンテンツをＡＡＣＳやＳＡＦＩＡなど「メディアバインド」のコンテンツ保護方式で録画する場合に、ダビング１０コンテンツの場合にもコピーワンスコンテンツ（コピーは不可、ムーブは可）として保存することを要求している。
【００４３】
図２〜図４は、「ダビング１０」コンテンツを、「ダビング１０」の権利を確保しながら、録画時に用いたテレビ装置以外の機器においても再生可能とするコンテンツ保護方式・管理方式の一例を示す。この例においては、「メディアバインド」のコンテンツ保護方式の一種であるＮＳＭ（Next generation Secure Memory initiative）規格に従ったコンテンツ保護と、「機器バインド」のコンテンツ保護方式とを併用している。図２〜図４が示すコンテンツ保護・管理方式を適用することで、図１が示すストレージ（ＨＤＤ）が保持するコンテンツ（コピーカウントのあるコンテンツ）を、「機器バインド」に従うコンテンツ保護を遵守するとともに、「メディアバインド」により例えばテレビ装置を買い換えた場合において（買い換えた）テレビ装置からも再生可能となる。なお、本実施形態においては、上述した「メディアバインド」方式（第一の保護方式、例えばＮＳＭ規格やＡＡＣＳ規格）と上述した「機器バインド」方式（第二の保護方式）とを併用する（ことを特徴とする）。
【００４４】
図２は、コンテンツ保護・管理方式としてＮＳＭを用いた場合の第一の保護方式（「メディアバインド」方式）におけるＨＤＤ（ストレージ）内のデータ保持構造（ファイル構造）を模式的に示す。
【００４５】
「メディアバインド」方式は、規格化（標準化）されたＡＶフォーマット及びＤＲＭを用いる。当該「メディアバインド」方式に対応するメディアがホストに接続された場合、当該ホストが規格に準拠していると、該ホストにおいて、規格に準拠して保存された保護コンテンツの利用が可能となる。
【００４６】
図２が示すように、ＨＤＤ内のコンテンツデータファイル１０は、ＡＶフォーマット（コンテンツ及びコンテンツ付加情報）１１とＡＶフォーマット層１１に対するＤＲＭ層１２とを含む。なお、実際（運用上）の保持形態としては、それぞれのファイルを複数のファイルで構成されることもある。
【００４７】
図３は、コンテンツ保護方式として第二の保護方式（「機器バインド」方式）を用いた場合におけるＨＤＤ（ストレージ）内のデータ保持構造（ファイル構造）を模式的に示す。
【００４８】
「機器バインド」方式においては、コンテンツを再生する機器が（コンテンツの）録画時に用いた機器と同じ機器であることを、要件としている。従い、コンテンツの記録形式（ＡＶフォーマット）及びＤＲＭは、独自に規定することが可能である。
【００４９】
図３が示すように、ＨＤＤ内のコンテンツデータファイル２０は、録画時に用いる機器に固有の独自のＡＶフォーマット層２１と独自ＤＲＭ層２２とを含む。なお、実際（運用上）の保持形態としては、それぞれのファイルを複数のファイルで構成することも可能である。
【００５０】
図４は、第一の保護方式（「メディアバインド」方式）と第二の保護方式（「機器バインド」方式）とを保持するＨＤＤ内のデータ保持構造（ファイル構造）の一例を模式的に示す。
【００５１】
図４が示すように、コンテンツデータファイル３０は、第一の保護方式（「メディアバインド」方式）が保護するコンテンツデータファイル４０と第二の保護方式（「機器バインド」方式）が保護するコンテンツデータファイル５０とを含む。
【００５２】
第一の保護方式が保護するコンテンツデータファイル４０は、図２が示したデータファイル１１と同様のフォーマットであるデータファイル４１と規格化ＤＲＭファイル１２と同様のフォーマットであるＤＲＭファイル４２とを含む。
【００５３】
第二の保護方式が保護するコンテンツデータファイル５０は、図３が示したデータファイル２１と同様のフォーマットであるデータファイル５１と独自ＤＲＭファイル２１と同様のフォーマットであるＤＲＭファイル５２とを含む。
【００５４】
図４が示すデータファイル３０は、記録制御部１５５の制御により、例えば図５Ａ及び図５Ｂが示す以下の方法すなわち「機器バインド」方式用処理及び「メディアバインド」方式用処理に従い用意され、ストレージ１６１が保持する。
【００５５】
＜＜「機器バインド」方式用処理＞＞    
「機器バインド」方式用コンテンツ管理情報を生成［６０］。    
「機器バインド」方式用コンテンツ鍵を生成［６１］。    
「機器バインド」方式用コンテンツ鍵とＵｓａｇｅＲｕｌｅ（文字列／記述文）を保存［６２］。    
「機器バインド」方式用コンテンツ鍵でコンテンツを暗号化［６３］。
【００５６】
「機器バインド」方式で暗号化した暗号化コンテンツを保存［６４］。
【００５７】
＜＜「メディアバインド」方式用処理＞＞    
「メディアバインド」方式用コンテンツ管理情報を生成［７０］。    
「メディアバインド」方式用コンテンツ鍵を生成［７１］。    
「メディアバインド」方式用コンテンツ鍵とＵｓａｇｅＲｕｌｅ（文字列／記述文）を保存［７２］。    
「メディアバインド」方式用コンテンツ鍵でコンテンツを暗号化［７３］。    
「メディアバインド」方式で暗号化した暗号化コンテンツを保存［７４］。    
なお、ＵｓａｇｅＲｕｌｅ（文字列／記述文）は、コピーカウントとムーブ可否を以下のように記述することとする。    
コピー不可、ムーブ可    ｛Usage Rule（copy 0，move 1）｝    
コピー不可、ムーブ不可  ｛Usage Rule（copy 0，move 0）｝    
コピー９回、ムーブ可    ｛Usage Rule（copy 9，move 1）｝。
【００５８】
すなわち、図４及び図５Ａ及び図５Ｂに概略をしたデータ保持構造を有するコンテンツデータファイルにおいては、図７〜図１０により、実施形態を個別に説明するが、    
図７の方式においては、機器バインドでの録画とメディアバインドでの録画の２つを実行する。例えば、ダビング１０コンテンツの場合、機器バインド方式で録画した後、１つ分メディアバインド方式へダビング（コピー）する、という処理を、録画時に行った状態をあらわしており、結果的に保存されるファイル構造は、図７のようになる。なお、Ｕｓａｇｅ  Ｒｕｌｅに関しては、機器バインド方式に録画した時点ではコピーカウント９回（copy 9，move 1）であり、メディアバインド方式へコピーを実行すると、機器バインド方式のコピーカウントを１回消費したこととなるのでＵｓａｇｅ  Ｒｕｌｅは（copy 8，move 1）に更新され、メディアバインド方式のＵｓａｇｅ  Ｒｕｌｅは、コピー不可、ムーブ可（copy 0，move 1）という状態で保持されていることとなる。
【００５９】
機器バインドでの録画においては、コンテンツ鍵２を用いてコンテンツを暗号化した暗号化コンテンツ２（Encrypted Content 2）８４と、例えば機器ＩＤ（identification）を用いてコンテンツ鍵２を暗号化した暗号鍵２（Encrypted Key 2）８５と、ＵＲ２（Usage Rule 2（copy 8，move 1））８６とコンテンツ情報（Content Information 2）８３を記憶する。メディアバインド７３の録画においては、コンテンツ鍵１を用いてコンテンツを暗号化した暗号化コンテンツ１（Encrypted Content 1）７４、メディアバインド方式に従ってコンテンツ鍵１を暗号化した暗号鍵１（Encrypted Key 1）７５とＵＲ１（Usage Rule 1（copy 0，move 1））７６とコンテンツ情報１（Content Information 1）を記憶する。
【００６０】
すなわち、図７が示すＨＤＤ内のデータ保持構造は、規格化ＡＶフォーマットと規格化ＤＲＭ、すなわち第一の保護方式（「メディアバインド」方式）に対応する第一の記録領域７０と独自のＡＶフォーマットを用いてフォーマットする独自フォーマットと独自ＤＲＭ、すなわち第二の保護方式（「機器バインド」方式）に対応する第二の記録領域８０とを含む。
【００６１】
第一の記録領域７０は、図２により説明したコンテンツの記録形式すなわちＡＶフォーマット７１及びＤＲＭ情報保持領域７２を含む。
【００６２】
フォーマット情報保持領域７１は、コンテンツメタデータを保持するデータファイル（Content Information 1）７３と暗号化コンテンツ（Encrypted Content 1）７４とを含む。
【００６３】
ＤＲＭ情報保持領域７２は、暗号化コンテンツファイル７４を復号するためのコンテンツ鍵１を暗号化した暗号鍵（Encrypted Key 1）７５とＵｓａｇｅＲｕｌｅ（UR 1（Copy 0，Move 1））７６とを含む。
【００６４】
第二の記録領域８０は、図３により説明したコンテンツの記録形式すなわち独自ＡＶフォーマット８１及びＤＲＭ情報保持領域８２を含む。
【００６５】
フォーマット情報保持領域８１は、コンテンツメタデータを保持するデータファイル（Content Information 2）８３と暗号化コンテンツ（Encrypted Content 2）８４とを含む。
【００６６】
ＤＲＭ情報保持領域８２は、暗号化コンテンツファイル８４を復号するためのコンテンツ鍵２を暗号化した暗号鍵（Encrypted Key 2）８５とＵｓａｇｅＲｕｌｅを保持したＵＲファイル（UR 2（Copy 8，Move 1））８６とを含む。
【００６７】
図８の方式においては、図７とほぼ同様であるが、機器バインド方式用のコンテンツ鍵１と同様の鍵をメディアバインド方式用のコンテンツ鍵として用い、また、機器バインド方式の暗号化スキーム方式についてもメディアバインド方式と同様のスキームを用いる。つまり、暗号化コンテンツ７４と暗号化コンテンツ９４は同一のデータとなる。なお、コンテンツ鍵自体は、第一の保護方式（メディアバインド方式）と第二の保護方式（機器バインド方式）で同じものを用いるが、格納時の手法が異なるため、機器バインド方式とメディアバインド方式のそれぞれで格納し、格納する暗号鍵７５と９５の値も異なる。
【００６８】
具体的には、前述したように、暗号鍵７５は、コンテンツ鍵をメディアバインド方式に従って暗号化した鍵であり、暗号鍵９５は、コンテンツ鍵を機器バインド方式に従って暗号化した鍵である。
【００６９】
すなわち、図８が示すＨＤＤ内のデータ保持構造は、図７と同様第一の保護方式に対応する第一の記録領域７０と、第二の保護方式に対応する第二の記録領域９０とを含む。
【００７０】
第二の記録領域９０は、ＡＶフォーマット情報保持領域９１及びＤＲＭ情報保持領域９２を含む。
【００７１】
フォーマット情報保持領域９１は、コンテンツメタデータ８３と暗号化コンテンツ（Encrypted Content 1）９４とを含む。
【００７２】
ＤＲＭ情報保持領域９２は、暗号化コンテンツ（Encrypted Content 1）９４を復号するためのコンテンツ鍵１を暗号化した暗号鍵（Encrypted Key 1）９５とＵｓａｇｅＲｕｌｅ（UR 2（Copy 8，Move 1））８６とを含む。
【００７３】
従い、図８に示す実施形態は、図７に示した実施形態において２つ用意する暗号化コンテンツが同一であり、コンテンツの暗号処理を一度にすることができる。
【００７４】
図９の方式は、図８とほぼ同様であり、異なる点は、図８では暗号化コンテンツ７４と８４が同一のデータを２つ保存しているが、図９においては１つのみ保存していることである。
【００７５】
すなわち、図９が示す実施形態は、図８に示した実施形態において実現する２つの暗号化コンテンツファイル９４を両方式により共用することにより、ストレージ１６１の記録領域の有効利用を可能とする。
【００７６】
図１０の方式では、図９の方式とほぼ同様であり、異なる点は、図９ではコンテンツ情報（Content Information 1）７３と（Content Information 2）８３とを方式毎に記憶していたが、図１０ではコンテンツ情報（Content Information 1）１１１を両方式から参照することである。コンテンツのダビングを行う場合は、まずは「機器バインド」のコピーカウントを消費する。
【００７７】
コピーカウントが「０」の場合は、「機器バインド」方式のコンテンツのムーブを行い、「機器バインド」方式のデータをすべて削除する。    
なお、図９及び図１０においては、記憶部に保存されたコンテンツにはＵＲ２だけでなくＵＲ１（UR 1（Copy 0，Move 1））も対応付けられている。そしてＵＲ１ではコンテンツの権利が残されている。このため通常のムーブ処理とは異なり、コンテンツを記憶部に残したまま、機器バインド方式のＤＲＭ部のデータを削除する。なお、図７及び図８においては、通常のムーブ処理と同様に、ＵＲ２に対応付けられたコンテンツをムーブすると、記憶部中の当該コンテンツ（ＡＶフォーマットとＤＲＭデータ）は削除される。    
図６は、図９あるいは図１０に示した処理シーケンスを示す。
【００７８】
ダビング開始の指示があった場合、まず、Ｕｓａｇｅ  Ｒｕｌｅを確認し［１０１］、Ｕｓａｇｅ  Ｒｕｌｅに「機器バインド」のコピーの権利の残りが有る場合［１０２−ＹＥＳ］、コンテンツデータのダビング処理を行い、ＵＲ２のコピー回数をー１する（コピーカウントを１消費する）［１０３］。
【００７９】
確認したＵｓａｇｅ  Ｒｕｌｅに「機器バインド」のコピーの権利の残りがない場合は［１０２−ＮＯ］、「機器バインド」のムーブの権利の残りが有るかを確認し［１０４］、ムーブの権利が有る場合［１０４−ＹＥＳ］、「機器バインド」方式のコンテンツデータのムーブ処理を行う［１０５］。この場合、図９及び図１０に示した例では、コンテンツを記憶部に残したまま、機器バインド方式のＤＲＭ部のデータを削除する。なお、図７及び図８においては、通常のムーブ処理と同様に、ＵＲ２に対応付けられたコンテンツをムーブすると、記憶部中の当該コンテンツ（ＡＶフォーマットとＤＲＭデータ）は削除される。
【００８０】
確認したＵｓａｇｅ  Ｒｕｌｅに「機器バインド」のコピーの権利の残りがない場合であって［１０２−ＮＯ］、「機器バインド」のムーブの権利の残りがない場合［１０４−ＮＯ］、「メディアバインド」方式のコンテンツデータのムーブ処理を行う［１０６］。この場合、図９及び図１０に示した例では、ムーブ処理後、「機器バインド方式」のＤＲＭ部のデータを削除する。なお、図７及び図８においては、ムーブ処理に伴い、記憶部中の当該コンテンツ（ＡＶフォーマットとＤＲＭデータ）は削除される。
【００８１】
すなわち、実施形態においては、コンテンツデータと、コンテンツ鍵を第一の保護方式に従って暗号化した第１の暗号鍵と、第１の暗号鍵に対応する第１のＵｓａｇｅ  Ｒｕｌｅと、コンテンツ鍵を機器バインド方式の第二の保護方式に従って暗号化した第２の暗号鍵と、第２の暗号鍵に対応する第２のＵｓａｇｅ  Ｒｕｌｅと、を関連付けて記録装置に記録する記録制御手段と、コンテンツを、メディアバインド方式の第１の保護方式に従ってコンテンツ鍵を用いてコンテンツを暗号化し、暗号可されたコンテンツデータを生成する暗号化手段と、有し、暗号化手段は、コンテンツをコンテンツ鍵で暗号化した第１のコンテンツデータと第２のコンテンツデータを生成し、記録制御手段は、第１のコンテンツデータに第１の暗号鍵及び第１のＵｓａｇｅＲｕｌｅを関連付け、第２のコンテンツデータに第２の暗号鍵及び第２のＵｓａｇｅＲｕｌｅを関連付けて記録装置に記録する。また、暗号化手段は、コンテンツをコンテンツ鍵で暗号化したコンテンツデータを生成し、記録制御手段は、コンテンツデータに対して、第１の暗号鍵及び第１のＵｓａｇｅＲｕｌｅと、第２の暗号鍵及び第２のＵｓａｇｅＲｕｌｅとを関連付けて記録装置に記録する。
【００８２】
なお、「機器バインド」方式及び「メディアバインド」方式のいずれにおいても、コンテンツの暗号化及び復号については、例えばＡＥＳ（Advanced Encryption Standard）に代表される共通鍵暗号方式、等を用いることができる。但し、「メディアバインド」方式について、互換性及び相互運用性を確保できる方式を用いることは、上述した通りである。
【００８３】
すなわち、図１０に示す実施形態においては、暗号化コンテンツデータ（ファイル）を１つのみ用意し、「メディアバインド」方式用におけるＤＲＭ処理と「機器バインド」方式用におけるＤＲＭ処理とにおいて、鍵ファイルとＵｓａｇｅ  ＲｕｌｅのみをそれぞれのＤＲＭ方式に対応させて用意している。
【００８４】
従い、ストレージ１６１における記録領域の占有率、及び暗号化ファイルの作成に要求される負荷を低減可能である。すなわち、ストレージ１６１の記録領域の有効に利用可能で、しかもコンテンツを暗号化するための処理の負荷を軽減することができる。
【００８５】
このことから、「ダビング１０」は録画時に用いた録画機器にのみ有効である「機器バインド」方式でのみ利用可能で、しかも「メディアバインド」方式にも対応することで、録画時に用いた録画機器以外での再生も可能となる。
【００８６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８７】
１…電子機器（テレビジョン受信装置）、１１３…情報取得手段（信号処理部）、１５０…制御手段（主制御ブロック／ＭＰＵ）、１５５…信号処理手段（記録制御部）、１６１…記憶手段（ストレージ／記録部）、１８２…記憶手段（ストレージ／記録部）。
【図１】
2014135563.tif 000003
【図２】
2014135563.tif 000004
【図３】
2014135563.tif 000005
【図４】
2014135563.tif 000006
【図５Ａ】
2014135563.tif 000007
【図５Ｂ】
2014135563.tif 000008
【図６】
2014135563.tif 000009
【図７】
2014135563.tif 000010
【図８】
2014135563.tif 000011
【図９】
2014135563.tif 000012
【図１０】
2014135563.tif 000013